(57)【要約】【課題】報知手段を作動する予定時刻の設定について、より使い勝手のよい時計装置を提供すこと。【解決手段】時刻を計時するカウンタ３００と、予定時刻を設定する予定時刻設定手段７００と、カウンタの時刻が予定時刻になると作動する報知手段８００とを備え、予定時刻設定手段は、回転操作子７１０と、回転操作子の回転位置に応じてそのＯＮ／ＯＦＦパーターンが切換わる接点群７２０とを備え、予定時刻は、接点群のＯＮ／ＯＦＦパターンと対応づけることにより、回転操作子の回転位置に応じて設定される構成の時計装置である。また、少なくともカウンタが配置される第１ケース１１０と、少なくとも予定時刻設定手段が配置される第２ケース１２０とを備え、第２ケースは、第１ケースに対して取り付け可能とし、予定時刻設定手段は、第２ケースを第１ケースに取り付けることにより、カウンタ側と配線接続される構成とした。【選択図】        図３
2005017030.tif 000002
【特許請求の範囲】
【請求項１】
時刻を計時するカウンタと、予定時刻を設定する予定時刻設定手段と、前記カウンタの時刻が前記予定時刻になると作動する報知手段とを備え、
前記予定時刻設定手段は、回転操作子と、前記回転操作子の回転位置に応じてそのＯＮ／ＯＦＦパーターンが切換わる接点群とを備え、
前記予定時刻は、前記接点群のＯＮ／ＯＦＦパターンと対応づけることにより、前記回転操作子の回転位置に応じて設定されることを特徴とする時計装置。
【請求項２】
前記接点群としては、前記予定時刻の時の桁を設定する第１接点群と、前記予定時刻の分の桁を設定する第２接点群とを備えたことを特徴とする請求項１記載の時計装置。
【請求項３】
前記接点群は、複数の弾性片が設けられたコード板と、所定の形状の導通部が設けられた回路基板とを組み合せてなり、
前記コード板は、前記回転操作子とともに回転し、前記複数の弾性片は、前記コード板が回転することにより、前記導通部に対してそれぞれ離合することを特徴とする請求項１又は２記載の時計装置。
【請求項４】
時刻を計時するカウンタと、予定時刻を設定する予定時刻設定手段と、前記カウンタの時刻が前記予定時刻になると作動する報知手段と、少なくとも前記カウンタが配置される第１ケースと、少なくとも前記予定時刻設定手段が配置される第２ケースとを備え、
前記第２ケースは、前記第１ケースに対して取り付け可能とし、前記予定時刻設定手段は、前記第２ケースを前記第１ケースに取り付けることにより、前記カウンタ側と配線接続されることを特徴とする時計装置。
【請求項５】
当該時計装置は、前記予定時刻設定手段がそれぞれ配置された複数の前記第２ケースを備え、
前記複数の第２ケースは、相互に取り付け可能とし、
前記複数の第２ケースにおける複数の前記予定時刻設定手段は、前記複数の第２ケースのうちの１つを前記第１ケースに取り付けることにより、前記カウンタ側と配線接続されることを特徴とする請求項４記載の時計装置。
【請求項６】
前記予定時刻設定手段は、回転操作子と、前記回転操作子の回転位置に応じてそのＯＮ／ＯＦＦパーターンが切換わる接点群とを備え、
前記予定時刻は、前記接点群のＯＮ／ＯＦＦパターンと対応づけることにより、前記回転操作子の回転位置に応じて設定されることを特徴とする請求項４又は５記載の時計装置。
【請求項７】
前記接点群としては、前記予定時刻の時の桁を設定する第１接点群と、前記予定時刻の分の桁を設定する第２接点群とを備えたことを特徴とする請求項６記載の時計装置。
【請求項８】
前記接点群は、複数の弾性片が設けられたコード板と、所定の形状の導通部が設けられた回路基板とを組み合せてなり、
前記コード板は、前記回転操作子とともに回転し、前記複数の弾性片は、前記コード板が回転することにより、前記導通部に対してそれぞれ離合することを特徴とする請求項６又は７記載の時計装置。
【発明の詳細な説明】
【０００１】
【発明の属する技術分野】
本発明は、報知手段を作動する予定時刻を任意に設定する時計装置に関し、報知機能を備えた電波修正時計として好適に利用可能されるものである。
【０００２】
【従来の技術】
アナログ式の目覚し時計としては、目安機構を用いてなるものが一般的である。目安機構は、指針の駆動に連動して切替えられる目安接点を備え、予め設定された予定時刻になると同時に目安接点が切換わることにより、報知手段が作動するように構成されている。目安機構の一例としては、例えば特許文献１に記載されたもののように、ダイアル式の回転操作子を用いてなるものも知られている。
【０００３】
ところで、電波修正時計は、時刻情報たる標準時刻電波を受信し、これに基づいてカウンタの時刻を修正するものであり、秒単位で正確な時刻表示がなされるという利点を有している。このような電波修正時計は、各種の時計装置に利用されており、例えば予定時刻に報知手段を作動する目覚し時計等にも応用されている。また、電波修正時計は、内蔵されたカウンタにおいて時刻を計時しており、通常は予定時刻を所定の操作子にて電子入力する構成となっている。つまり、前述した目安機構を用いてなる目覚し時計の場合は、機械的な寸法誤差の影響により目安接点の切換わるタイミングが数十秒から数分の範囲で前後し、報知手段を作動するタイミングを秒単位で正確に設定するのは極めて困難又は不可能であったところ、予定時刻を電子入力する電波修正時計であれば、報知手段の作動が予定時刻の前後にずれこむ心配はない。例えば特許文献２には、複数の領域に分割された導通部に添って回転する接点のＯＮ／ＯＦＦ回数を検出し、これに対応する予定時刻を設定・記憶するように構成された目覚し時計が開示されている。
【０００４】
【特許文献１】特許第２９５０３９８号公報
【特許文献２】特開２００１−１８８０９０号公報
【０００５】
【発明が解決しようとする課題】
さて、予定時刻を電子入力する場合は、従来の目安機構を用いた場合と比較すると、報知手段を正確な時間に作動させることができる一方、予定時刻の設定操作がやや煩わしくなるという問題がある。特に、電波修正時計を目覚し時計に応用する場合は、予定時刻の設定操作や確認をより簡単に行うための工夫が非常に重要とされる。
【０００６】
本発明は、かかる事情に鑑みてなされたものであり、その目的は、報知手段を作動する予定時刻の設定について、より使い勝手のよい時計装置を提供すことである。
【０００７】
【課題を解決するための手段】
本願第１請求項に記載した発明は、時刻を計時するカウンタと、予定時刻を設定する予定時刻設定手段と、前記カウンタの時刻が前記予定時刻になると作動する報知手段とを備え、前記予定時刻設定手段は、回転操作子と、前記回転操作子の回転位置に応じてそのＯＮ／ＯＦＦパーターンが切換わる接点群とを備え、前記予定時刻は、前記接点群のＯＮ／ＯＦＦパターンと対応づけることにより、前記回転操作子の回転位置に応じて設定される構成の時計装置である。このような構成によると、より使い勝手のよい時計装置が得られる。すなわち本発明は、回転操作子を操作することにより、報知手段を作動する予定時刻を簡単に設定することができる時計装置である。予定時刻は、回転操作子の回転位置から判別することが可能である。
【０００８】
本願第２請求項に記載した発明は、請求項１において、前記接点群としては、前記予定時刻の時の桁を設定する第１接点群と、前記予定時刻の分の桁を設定する第２接点群とを備えた構成の時計装置である。すなわち、予定時刻を分単位で設定する場合は、予定時刻の時の桁、及び予定時刻の分の桁をそれぞれ別途の接点群にて設定すると、予定時刻の設定操作及び判別がより容易となり、非常に合理的である。
【０００９】
本願第３請求項に記載した発明は、請求項１又は２において、前記接点群は、複数の弾性片が設けられたコード板と、所定の形状の導通部が設けられた回路基板とを組み合せてなり、前記コード板は、前記回転操作子とともに回転し、前記複数の弾性片は、前記コード板が回転することにより、前記導通部に対してそれぞれ離合する構成の時計装置である。すなわち接点群は、このようなコード板及び回路基板を組み合わせて構成するとよい。
【００１０】
本願第４請求項に記載した発明は、時刻を計時するカウンタと、予定時刻を設定する予定時刻設定手段と、前記カウンタの時刻が前記予定時刻になると作動する報知手段と、少なくとも前記カウンタが配置される第１ケースと、少なくとも前記予定時刻設定手段が配置される第２ケースとを備え、前記第２ケースは、前記第１ケースに対して取り付け可能とし、前記予定時刻設定手段は、前記第２ケースを前記第１ケースに取り付けることにより、前記カウンタ側と配線接続される構成の時計装置である。このような構成によると、より使い勝手のよい時計装置が得られる。すなわち本発明は、予定時刻設定手段を必要に応じて取り付け自在とすることにより、その利便性を向上してなる時計装置である。
【００１１】
本願第５請求項に記載した発明は、請求項４において、当該時計装置は、前記予定時刻設定手段がそれぞれ配置された複数の前記第２ケースを備え、前記複数の第２ケースは、相互に取り付け可能とし、前記複数の第２ケースにおける複数の前記予定時刻設定手段は、前記複数の第２ケースのうちの１つを前記第１ケースに取り付けることにより、前記カウンタ側と配線接続される構成の時計装置である。すなわち本発明は、複数の予定時刻設定手段を必要に応じて取り付け自在とすることにより、その利便性を一層向上してなる時計装置である。予定時刻は、各予定時刻設定手段においてそれぞれ設定される。つまり、複数設定することができる。
【００１２】
本願第６請求項に記載した発明は、請求項４又は５記載において、前記予定時刻設定手段は、回転操作子と、前記回転操作子の回転位置に応じてそのＯＮ／ＯＦＦパーターンが切換わる接点群とを備え、前記予定時刻は、前記接点群のＯＮ／ＯＦＦパターンと対応づけることにより、前記回転操作子の回転位置に応じて設定される構成の時計装置である。すなわち本発明は、回転操作子を操作することにより、報知手段を作動する予定時刻を簡単に設定することができる時計装置である。予定時刻は、回転操作子の回転位置から判別することが可能である。
【００１３】
本願第７請求項に記載した発明は、請求項６において、前記接点群としては、前記予定時刻の時の桁を設定する第１接点群と、前記予定時刻の分の桁を設定する第２接点群とを備えた構成の時計装置である。すなわち、予定時刻を分単位で設定する場合は、予定時刻の時の桁、及び予定時刻の分の桁をそれぞれ別途の接点群にて設定すると、予定時刻の設定操作及び判別がより容易となり、非常に合理的である。
【００１４】
本願第８請求項に記載した発明は、請求項６又は７において、前記接点群は、複数の弾性片が設けられたコード板と、所定の形状の導通部が設けられた回路基板とを組み合せてなり、前記コード板は、前記回転操作子とともに回転し、前記複数の弾性片は、前記コード板が回転することにより、前記導通部に対してそれぞれ離合する構成の時計装置である。すなわち接点群は、このようなコード板及び回路基板を組み合わせて構成するとよい。
【００１５】
【発明の実施の形態】
以下に、本発明の第１具体例を図面に基づいて詳細に説明する。図１乃至図３に示す本例の時計装置１は、当該時計装置を制御する制御手段２００と、時刻を計時するカウンタ３００と、基準クロック信号を発振する発振器４００と、時刻情報を受信する時刻情報受信手段５００と、カウンタ４００が計時する時刻を表示する時刻表示手段６００と、予定時刻を設定する複数の予定時刻設定手段７００と、カウンタ３００の時刻が予定時刻になると作動する報知手段８００とを備えている。制御手段２００は、所要のプログラムを格納したマイクロコンピュータである。カウンタ３００は、発振器４００が発振する基準クロック信号に基づいて時刻を計時する。制御手段２００は、時刻情報受信手段５００から得られた時刻情報に基づいてカウンタ３００の時刻を修正する。時刻情報受信手段５００は、標準時刻電波を時刻情報として受信するアンテナ回路である。また、時刻表示手段６００は、指針６２０を駆動するムーブメント６１０を備えたものである。つまりこの時計装置１は、アナログ式の電波修正時計である。報知手段８００はスピーカを用いてなり、予定時刻なるとメロディやチャイム等の報知音を発生する構成となっている。
【００１６】
また、本例の時計装置１は、第１ケース１１０と、この第１ケース１１０に取り付け可能な複数の第２ケース１２０とを備えている。第１ケース１１０には、制御手段２００、カウンタ３００、発振器４００、時刻情報受信手段５００、時刻表示手段６００、及び報知手段設８００を配置し、複数の第２ケース１２０には、予定時刻設定手段７００をそれぞれ配置している。複数の第２ケース１２０は、相互に取り付け可能とし、複数の第２ケース１２０における複数の予定時刻設定手段７００は、複数の第２ケース１２０のうちの１つを第１ケース１１０に取り付けることにより、制御手段２００（つまりカウンタ３００側）と配線接続される。具体的には、第１ケース１１０の下部にはジャック型コネクタ１１１を設けるとともに、各第２ケース１２０の上部及び下部にはそれぞれプラグ型コネクタ１２１及びジャック型コネクタ１２２を設けている。そして、複数の第２ケース１２０は、一方の第２ケース１２０のプラグ型コネクタ１２１を他方の第２ケース１２０のジャック型コネクタ１２２に差込むことにより、上下方向に連続して取り付けられる。第１ケース１１０と複数の第２ケース１２０とは、最も上部に位置する第２ケース１２０のプラグ型コネクタ１２１を第１ケース１１０のジャック型コネクタ１１１に差込むことによって取り付けられる。予定時刻設定手段７００を配置してなる第２ケース１２０は、設定する予定時刻の数に応じて必要数設けられる。特に、予定時刻を設定しない場合は、第２ケース１２０は取り外される。
【００１７】
予定時刻設定手段７００は、回転操作子７１０と、回転操作子７１０の回転位置に応じてそのＯＮ／ＯＦＦパーターンが切換わる接点群７２０と、制御手段２００との導通を切断するＯＮ／ＯＦＦスイッチ７３０とを備えている。予定時刻は、接点群７２０のＯＮ／ＯＦＦパターンと対応づけることにより、回転操作子７１０の回転位置に応じて設定される。予定時刻は、任意の正時（つまり分針が１２時を示す時間）に設定可能となっている。また、ＯＮ／ＯＦＦスイッチ７３０は、時計装置１の使用者が任意に操作する構成となっている。
【００１８】
図４に示すように、本例の回転操作子７１０は、時の桁を指標する指標部７１１を設けたダイアルであり、時計装置１の使用者が第２ケース１２０の側部から露呈した周縁部の一部を指で上方又は下方に送ることによって任意に回転操作される構成となっている。また、第２ケース１２０の正面要所には、回転操作子の指標部７１１を露呈する開口部１２３が設けられており、予定時刻は、開口部１２３から露呈した指標部７１１の数字が示す時刻とされる。
【００１９】
図５乃至図８に示すように、本例の接点群７２０は、複数の弾性片７２１ａが設けられたコード板７２１と、所定の形状の導通部７２２ａが設けられた回路基板７２２とを組み合せてなる４ビットのコードスイッチである。コード板７２１は、回転操作子７１０を固定する支軸７２３と一体に形成された回転プレート７２４に装着されており、回転操作子７１０とともに回転する。支軸７２３は、回路基板７２２に貫通されている。複数の弾性片７２１ａは、コード板７２１が回転することにより、回路基板７２２の導通部７２２ａに対してそれぞれ離合する。接点群ののＯＮ／ＯＦＦパターンは、回転操作子の回転位置が３０度移動する毎に切換わり、全部で１２通りとなっている。また、回路基板７２２を保持するブラケット７２５と回転プレート７２４との間には、ラチェット機構７２６が設けられている。回転操作子３０の回転位置は、ラチェット機構７２６により３０度間隔に規制されている。
【００２０】
図９には、予定時刻設定手段７００の回路構成の一例を示す。制御手段２００による予定時刻の検出は、例えば以下の通りである。まず、カウンタ３００の時刻が正時になると、制御手段２００は各接点群７２０に電圧をかけてそれらのＯＮ／ＯＦＦパターンをチェックする。かかるチェックは、各接点群７２０に対して短時間（１／１０００秒単位）のうちに順次に行われる。制御手段２００のＳＣＡＮ端子は、常時Ｈレベルを維持し、チェックの際ＳＣＡＮ１〜４はチェックのタイミングに同期してＬレベルの出力をＯＲ回路に入力する。このとき、ＯＲ回路の反対側の入力はＯＮ／ＯＦＦスイッチ７３０により選択され、そのスイッチがＯＮ状態のとき、ＯＲ回路の出力はＬレベルとなり、接点群７２０のＯＮ／ＯＦＦパターン状態から時間コードに変換して、その時刻に対応した報知手段８００の作動がなされるべきかどうかを判定する。つまり、時刻毎に異なる作動形態が予め設定されており、予定時刻設定手段７００にて設定された予定時刻になると、報知手段８００からその時刻に対応したメロディやチャイムが出力される構成となっている。
【００２１】
このように本例の時計装置１は、複数の予定時刻設定手段７００を必要に応じて取り付け自在とすることにより、その利便性を向上してなるものである。更に、報知手段８００を作動する予定時刻は、予定時刻設定手段７００の回転操作子７１０を操作することにより、簡単に設定することができる。予定時刻は、接点群７２０のＯＮ／ＯＦＦパターンと対応づけており、回転操作子７１０の回転位置から判別することができる。
【００２２】
次に、本発明の第２具体例を図１０乃至図１３に基づいて説明する。本例の時計装置１は、予定時刻の時の桁を設定する第１接点群７２０と、予定時刻の分の桁を設定する第２接点群７２０´とを備えたものである。各予定時刻設定手段７００は、第１回転操作子７１０及び第２回転操作子７１０´と、それらの回転位置に応じてそのＯＮ／ＯＦＦパーターンが切換わる第１接点群７２０及び第２接点群７２０´とを備えたものである。本例の第２接点群７２０は、第１接点群７１０と同様のコードスイッチを用いてなり、分の桁は、５分間隔で設定可能となっている。このとき上記ＳＣＡＮ端子からの出力は、設定可能な時刻間隔のタイミングで順次出力される。第２回転操作子７１０´には、分の桁を指標する指標部７１１´が設けられている。また、各予定時刻設定手段７００にはそれぞれ、ＯＮ／ＯＦＦスイッチ７３０及びＡＭ／ＰＭの選択スイッチ７４０を設けている。ＡＭ／ＰＭの選択スイッチ７４０は、予定時刻について午前か午後かを択一的に選択するスイッチであり、時計装置１の使用者が任意に操作する構成となっている。尚、その他の基本構成は、前述した第１具体例と同様である。
【００２３】
このように、予定時刻を分単位で設定する場合は、予定時刻の時の桁、及び予定時刻の分の桁をそれぞれ第１接点群７２０及び第２接点群７２０´にて設定するとよい。このような構成によると、予定時刻の設定操作及び判別がより容易となり、非常に合理的である。
【００２４】
次に、本発明の第３具体例を図１４及び図１５に基づいて説明する。本例の時計装置１は、単一或いは複数の予定時刻設定手段７００を第１ケース１１０に配置してなるものである。尚、その他の基本構成は、前述した第１又は第２具体例と同様である。
【００２５】
このように、予定時刻を接点群７２０，７２０´のＯＮ／ＯＦＦパターンと対応づけてなる本例の構成は、予定時刻設定手段７００を第１ケース１１０に配置する場合にも応用することが可能である。
【００２６】
【発明の効果】
以上説明したように、本発明によれば、より使い勝手のよい時計装置を得ることができる。
【図面の簡単な説明】
【図１】本発明の具体例に係り、時計装置を示す正面図である。
【図２】本発明の具体例に係り、第１ケース及び第２ケースを分解した時計装置を示す正面図である。
【図３】本発明の具体例に係り、時計装置を示す概要図である。
【図４】本発明の具体例に係り、第２ケース及び回転操作子を示す正面図である。
【図５】本発明の具体例に係り、回転操作子及び接点群を示す正面図である。
【図６】本発明の具体例に係り、回転操作子及び接点群を示す側面断面図である。
【図７】本発明の具体例に係り、回路基板及びコード板を示す裏面図である。
【図８】本発明の具体例に係り、回路基板を示す裏面図である。
【図９】本発明の具体例に係り、予定時刻設定手段を示す回路図である。
【図１０】本発明の具体例に係り、時計装置を示す正面図である。
【図１１】本発明の具体例に係り、第１ケース及び第２ケースを分解した時計装置を示す正面図である。
【図１２】本発明の具体例に係り、時計装置を示す概要図である。
【図１３】本発明の具体例に係り、第２ケース及び回転操作子を示す正面図である。
【図１４】本発明の具体例に係り、時計装置を示す正面図である。
【図１５】本発明の具体例に係り、時計装置を示す概要図である。
【符号の説明】
１      時計装置
１１０      第１ケース
１１１      ジャック型コネクタ
１２０      第２ケース
１２１      プラグ型コネクタ
１２２      ジャック型コネクタ
１２３      開口部
２００      制御手段
３００      カウンタ
４００      発振器
５００      時刻情報受信手段
６００      時刻表示手段
６１０      ムーブメント
６２０      指針
７００      予定時刻設定手段
７１０      回転操作子（第１回転操作子）
７１０´      第２回転操作子
７１１      指標部
７１１´      指標部
７２０      接点群（第１接点群）
７２０´      第２接点群
７２１      コード板
７２１ａ      弾性片
７２２      回路基板
７２２ａ      導通部
７２３      支軸
７２４      回転プレート
７２５      ブラケット
７２６      ラチェット機構
７３０      ＯＮ／ＯＦＦスイッチ
７４０      ＡＭ／ＰＭの選択スイッチ
８００  報知手段
【図１】
2005017030.tif 000003
【図２】
2005017030.tif 000004
【図３】
2005017030.tif 000005
【図４】
2005017030.tif 000006
【図５】
2005017030.tif 000007
【図６】
2005017030.tif 000008
【図７】
2005017030.tif 000009
【図８】
2005017030.tif 000010
【図９】
2005017030.tif 000011
【図１０】
2005017030.tif 000012
【図１１】
2005017030.tif 000013
【図１２】
2005017030.tif 000014
【図１３】
2005017030.tif 000015
【図１４】
2005017030.tif 000016
【図１５】
2005017030.tif 000017